(57)【要約】【課題】  印刷を実行するユーザの印刷設定と配布対象のユーザが好む印刷設定との両設定を考慮し、より節約効果を得ることができる画像処理装置及びシステムの提供。【解決手段】  印刷設定値と印刷者の識別情報とを関連付けし、印刷設定履歴として記憶する印刷設定履歴記憶手段と、印刷物の配布対象者を指定し、識別情報を記憶する配布対象者識別情報記憶手段と、印刷設定履歴記憶手段から配布対象者の印刷設定履歴を抽出する印刷設定履歴抽出手段と、印刷設定の設定頻度を集計する印刷設定頻度集計手段と、配布者が設定した印刷設定値と、集計された頻度の高い設定値とを比較して、より省資源である印刷設定を決定する印刷方法決定手段とを備え、印刷方法決定手段により決定された配布対象者ごとの印刷設定に従って、配布対象者の識別情報を印刷結果に付加する配布対象者識別情報付加手段とを備えたことを特徴とする画像処理装置及びシステム。【選択図】  図１
2013134520.tif 000002
【特許請求の範囲】
【請求項１】
印刷ジョブに含まれる印刷設定値と、印刷者の識別情報とを関連付けし、印刷設定履歴として記憶する印刷設定履歴記憶手段と、
印刷物の配布対象者を指定して配布対象者の識別情報を記憶する配布対象者識別情報記憶手段と、
前記印刷設定履歴記憶手段から配布対象者に対応する印刷者の印刷設定履歴を抽出する印刷設定履歴抽出手段と、
抽出された印刷設定履歴から設定頻度を集計する印刷設定頻度集計手段と、
配布者が配布対象者を指定して印刷する際に、当該配布者が設定した印刷設定値と、集計された頻度の高い設定値とを比較して、より省資源である印刷設定を決定する印刷方法決定手段とを備え、
前記印刷方法決定手段により決定された配布対象者ごとの印刷設定に従って、配布対象者の識別情報を印刷結果に付加する配布対象者識別情報付加手段とを備えたことを特徴とする画像処理装置。
【請求項２】
印刷ジョブに含まれる印刷設定値と、印刷者の識別情報と、該印刷者により印刷に使用された画像形成装置の識別情報とを関連付けし、印刷設定履歴として記憶する印刷設定履歴記憶手段と、
印刷物の配布対象者を指定して配布対象者の識別情報を記憶する配布対象者識別情報記憶手段と、
前記印刷設定履歴記憶手段から配布対象者に対応する印刷者の印刷設定履歴を抽出する印刷設定履歴抽出手段と、
抽出された印刷設定履歴から設定頻度を集計する印刷設定頻度集計手段と、
配布者が配布対象者と画像形成装置を指定して印刷する際に、当該配布者が設定した印刷設定値と、集計された頻度の高い設定値とを比較して、より省資源である印刷設定を決定する印刷方法決定手段とを備え、
前記配布対象者識別情報記憶手段によって記憶された配布対象者識別情報と、前記印刷方法決定手段とにより決定された配布対象者ごとの印刷設定とを印刷ジョブに付加し、指定された画像形成装置に送信する機能を備えた情報処理装置と、
前記印刷ジョブを受信して印刷する画像形成装置とからなることを特徴とする画像処理システム。
【請求項３】
前記情報処理装置は、
配布対象者に個別に付与する認証キーを入力する認証キー入力手段手段と、
配布対象者に前記認証キーを通知する通知手段とを備え、
前記配布対象者指定記憶手段によって記憶された配布対象者識別情報と、前記印刷方法決定手段によって決定された印刷設定と、前記認証キーとを印刷ジョブに付加し、指定された前記画像形成装置に送信し、
前記画像形成装置は、前記認証キーを入力する入力手段を備え、入力された前記認証キーと、送信された前記印刷ジョブ中の認証キーとが一致する場合に、前記印刷ジョブを印刷することを特徴とする請求項２記載の画像処理システム。
【請求項４】
前記画像形成装置は、
受信した前記印刷ジョブから前記印刷者の印刷設定履歴を画像形成装置側印刷設定履歴情報として記憶する画像形成装置側印刷設定履歴情報記憶手段を備えることを特徴とする請求項２、又は請求項３記載の画像形成システム。
【請求項５】
前記情報処理装置と、前記画像形成装置との間で情報の送受を行うサーバ装置を備え、
前記サーバ装置は、
前記情報処理装置の要求に応じ、前記画像形成装置から取得した前記画像形成装置側印刷設定履歴情報を前記情報処理装置に送信させる制御手段を有し、
前記情報処理装置の前記印刷設定履歴記憶手段は、
前記サーバ装置から受信した前記画像形成装置側印刷設定履歴情報に基づく情報を前記印刷設定履歴として記憶することを特徴とする請求項４記載の画像形成システム。
【請求項６】
前記制御手段は、
前記情報処理装置の要求に応じ、前記画像形成装置が印刷可能な機能情報を前記情報処理装置に送信させ、
前記情報処理装置の前記印刷設定頻度集計手段は、
前記印刷設定履歴抽出手段により抽出された前記配布対象者に対応する印刷者の印刷設定履歴において、前記機能情報に機能差がある場合には、対応する印刷設定値を印刷設定頻度の集計対象から除外することを特徴とする請求項５記載の画像形成システム。
【発明の詳細な説明】
【技術分野】
【０００１】
本発明は、画像処理装置及びシステムに関するものである。
【背景技術】
【０００２】
情報処理装置と画像形成装置とがネットワークを介して接続されて構築されたオフィス環境下において、ユーザの操作性や利便性を向上させるために、例えば、会議資料等を印刷する際に、配布対象のユーザ毎に最も適する設定で印刷を行うことができる画像形成装置があった（例えば、特許文献１参照）。
【先行技術文献】
【特許文献】
【０００３】
【特許文献１】特開２００６−３０１９６４号公報
【発明の概要】
【発明が解決しようとする課題】
【０００４】
しかしながら、上記特許文献１に記載の技術では、配布対象のユーザの好みに応じて印刷設定がなされており、ユーザが手にする印刷物の枚数はまちまちである。したがって、印刷枚数を制限して資源を節約するといった観点からは満足いくものではなかった。
【０００５】
本発明は、このような実情を鑑みてなされたものであり、本発明の課題は、印刷を実行するユーザにより設定された印刷設定と配布対象のユーザが好む印刷設定との両設定を考慮し、より節約効果を得ることができる画像処理装置及びシステムを提供することである。
【課題を解決するための手段】
【０００６】
上記課題を解決するために、本発明に係る画像処理装置は、印刷ジョブに含まれる印刷設定値と、印刷者の識別情報とを関連付けし、印刷設定履歴として記憶する印刷設定履歴記憶手段と、印刷物の配布対象者を指定して配布対象者の識別情報を記憶する配布対象者識別情報記憶手段と、前記印刷設定履歴記憶手段から配布対象者に対応する印刷者の印刷設定履歴を抽出する印刷設定履歴抽出手段と、抽出された印刷設定履歴から設定頻度を集計する印刷設定頻度集計手段と、配布者が配布対象者を指定して印刷する際に、当該配布者が設定した印刷設定値と、集計された頻度の高い設定値とを比較して、より省資源である印刷設定を決定する印刷方法決定手段とを備え、前記印刷方法決定手段により決定された配布対象者ごとの印刷設定に従って、配布対象者の識別情報を印刷結果に付加する配布対象者識別情報付加手段とを備えたことを特徴としている。
【０００７】
また、本発明に係る画像処理システムは、印刷ジョブに含まれる印刷設定値と、印刷者の識別情報と、該印刷者により印刷に使用された画像形成装置の識別情報とを関連付けし、印刷設定履歴として記憶する印刷設定履歴記憶手段と、印刷物の配布対象者を指定して配布対象者の識別情報を記憶する配布対象者識別情報記憶手段と、前記印刷設定履歴記憶手段から配布対象者に対応する印刷者の印刷設定履歴を抽出する印刷設定履歴抽出手段と、抽出された印刷設定履歴から設定頻度を集計する印刷設定頻度集計手段と、配布者が配布対象者と画像形成装置を指定して印刷する際に、当該配布者が設定した印刷設定値と、集計された頻度の高い設定値とを比較して、より省資源である印刷設定を決定する印刷方法決定手段とを備え、前記配布対象者識別情報記憶手段によって記憶された配布対象者識別情報と、前記印刷方法決定手段とにより決定された配布対象者ごとの印刷設定とを印刷ジョブに付加し、指定された画像形成装置に送信する機能を備えた情報処理装置と、前記印刷ジョブを受信して印刷する画像形成装置とからなることを特徴としている。
【発明の効果】
【０００８】
本発明によれば、印刷を実行するユーザにより設定された印刷設定と配布対象のユーザが好む印刷設定との両設定を考慮し、より節約効果を得ることができる画像処理装置及びシステムを提供することができる。
【図面の簡単な説明】
【０００９】
【図１】第１の実施形態に係る画像処理システムの構成の一例を説明する図である。
【図２】印刷設定値指定画面の表示例の一例である。
【図３】第１の実施形態に係る処理の流れを説明するシーケンス図である。
【図４】画像形成装置側印刷設定履歴情報の例を説明する図である。
【図５】サーバ側印刷設定履歴情報の例を説明する図である。
【図６】配布対象者指定画面の表示例の一例である。
【図７】配布対象者印刷設定履歴情報の例を説明する図である。
【図８】第１の実施形態に係る動作を説明するフローチャートである。
【図９】配布用資料を印刷する画像形成装置と機能差がある画像形成装置に対する印刷設定値を対象から除外したテーブルの一例を示したものである。
【図１０】配布資料の印刷結果を示した図である。
【図１１】第２の実施形態に係る画像処理システムの構成の一例を説明する図である。
【図１２】操作部の構成の一例を説明する図である。
【図１３】第２の実施形態に係る処理の流れを説明するシーケンス図である。
【図１４】配布対象者指定画面の表示例の一例である。
【図１５】第２の実施形態に係る動作を説明するフローチャートである。
【図１６】配布対象者印刷設定履歴情報の例を説明する図である。
【図１７】配布用資料を印刷する画像形成装置と機能差がある画像形成装置に対する印刷設定値を対象から除外したテーブルの一例を示したものである。
【図１８】配布用資料を印刷する画像形成装置と機能差がある画像形成装置に対する印刷設定値及び文書形式の異なる対象から除外したテーブルの一例を示したものである。
【図１９】印刷ジョブを受信した画像形成装置の動作を説明するフローチャートである。
【発明を実施するための形態】
【００１０】
以下、本発明の実施形態について図面を参照して説明する。なお、本発明は以下の記述に限定されるものではなく、本発明の要旨を逸脱しない範囲において適宜変更可能である。
【００１１】
［第１の実施形態］
第１の実施形態の説明においては、本発明の好適な一例として、サーバと、複数の情報処理装置としてのＰＣ（Personal Computer）と、複数の画像形成装置がＬＡＮ（Local Area Network）等のネットワークに接続されて構築された画像処理システムについて説明する。なお、本実施形態の説明においては、ＰＣを介して印刷を実行するユーザを印刷実行者と称する。また、印刷実行者であり印刷物を配布するユーザを配布者とし、さらに、印刷実行者であり印刷物の配布を受けるユーザを配布対象者と称して説明する。
【００１２】
本実施形態に係る画像処理システムにおいて、ＰＣは、記録媒体上に印刷させる画像に基づく印刷ジョブデータをサーバを介して画像形成装置に送信することが可能であるとともに、画像形成装置は、サーバを介して受信した印刷ジョブデータに基づき記録媒体上にページ単位の画像を印刷することができる。
【００１３】
このような構成を有する画像処理システムについて以下に説明する。図１は、第１の実施形態に係る画像処理システムの構成の一例を説明する図であり、本実施形態に係る画像処理システムは、サーバ１０と、ＰＣ２０、ＰＣ２０’と、画像形成装置３０、画像形成装置３０’とを備える。
【００１４】
サーバ１０は、記憶部１０１と、表示部１０２と、制御手段としてのコントロール１０３と、入力部１０４と、通信部１０５とを備える。
【００１５】
記憶部１０１は、例えば、ＨＤＤ（Hard Disk Drive）、ＲＡＭ（Random Access Memory）、ＲＯＭ（Read Only Memory）又はフラッシュメモリ等の記憶装置を用いることができ、コントロール部１０３がサーバ１０の各種機能を実現するためのサーバプログラム１０１１や、画像形成装置３０、画像形成装置３０’から送信された印刷設定の設定値等を記憶する。
【００１６】
表示部１０２は、例えば、ＣＲＴ（Cathode Ray Tube）ディスプレイや、ＬＣＤ（Liquid Crystal Display）等の表示装置を備え、サーバプログラム１０１１のＧＵＩ（Graphical User Interface）の表示や、サーバ１０の装置状態を表示する。
【００１７】
コントロール部１０３は、ＣＰＵ（Central Processing Unit）等の演算装置を備え、サーバ１０を構成する各部を統括的に制御する。具体的には、コントロール部１０３は、ＣＰＵが記憶部１０１に記憶されたサーバプログラム１０１１を実行することで、サーバ１０の各種機能を実現する。
【００１８】
入力部１０４は、例えば、キーボードやマウス等の入力装置を備え、表示部１０２に表示されたＧＵＩを介して入力された目的の設定値の入力を受付ける。
【００１９】
通信部１０５は、イーサネット（登録商標）ポートに接続されたＬＡＮケーブル等の通信ケーブルを介したＰＣ２０、ＰＣ２０’、画像形成装置３０及び画像形成装置３０’との通信を制御する。
【００２０】
次に、ＰＣ２０、ＰＣ２０’について説明する。ＰＣ２０、ＰＣ２０’は、略同様の構成として用いることができるため、ここではＰＣ２０について説明する。
【００２１】
ＰＣ２０は、印刷設定履歴記憶手段及び配布対象者識別情報記憶手段としての記憶部２０１と、表示部２０２と、印刷設定履歴抽出手段、印刷設定頻度集計手段、印刷方法決定手段又は配布対象者識別情報付加手段として機能するコントロール２０３と、入力部２０４と、通信部２０５とを備える。
【００２２】
記憶部２０１は、例えば、ＨＤＤ、ＲＡＭ、ＲＯＭ、フラッシュメモリ等の記憶装置を用いることができ、コントロール部２０３が印刷ジョブデータを生成するために用いるドライバプログラム２０１１や、図示せぬアプリケーション等で作成されたドキュメントデータや描画データからなる画像データ等を記憶する。
【００２３】
表示部２０２は、例えば、ＣＲＴディスプレイや、ＬＣＤ等の表示装置を備え、ドライバプログラム２０１１のＧＵＩの表示や、ＰＣ２０の装置状態を表示する。
【００２４】
図２は、印刷実行者が印刷設定に係る設定値を指定する際に、表示部２０２を介して表示される印刷設定値指定画面の表示例の一例である。本実施形態に係る印刷設定値指定画面は、記録媒体の用紙サイズやレイアウトタイプ等の印刷設定値の指定を受付けるコントロール部１０８２と、当該コントロール部１０８２を介して指定された設定値に基づく簡易イメージを表示するプレビュー表示部１０８１と、後述する配布印刷ダイアログを表示させるためのボタンコントロール１０８３とを有する。
【００２５】
ここで、印刷設定値指定画面を介して入力された各印刷設定値は、印刷ジョブデータと併せて画像形成装置３０又は画像形成装置３０’に送信され、これを受信した画像形成装置３０又は画像形成装置３０’は、当該印刷設定値に基づき印刷ジョブデータに基づく画像を記録媒体に印刷する。
【００２６】
コントロール部２０３はＣＰＵ等の演算装置を備え、ＰＣ２０を構成する各部を統括的に制御する。また、コントロール部２０３は、ＣＰＵが記憶部２０１に記憶されたドライバプログラム２０１１を実行することで、印刷設定履歴抽出手段、印刷設定頻度集計手段、印刷方法決定手段又は配布対象者識別情報付加手段として機能する。さらにまた、コントロール部２０３は、図示せぬアプリケーション等で作成されたドキュメントデータや描画データからなる画像データを画像形成装置３０、画像形成装置３０’が印刷可能な、例えば、ＰＤＬ（Page Description Language）データからなる印刷ジョブデータに変換する。
【００２７】
入力部２０４は、例えば、キーボードやマウス等の入力装置を備え、表示部２０２に表示されたＧＵＩを介して、印刷実行者により入力された目的の設定値の入力を受付ける。
【００２８】
通信部２０５は、イーサネット（登録商標）ポートに接続されたＬＡＮケーブル等の通信ケーブルを介したサーバ１０、画像形成装置３０及び画像形成装置３０’との通信を制御する。
【００２９】
次に、画像形成装置３０、画像形成装置３０’について説明する。画像形成装置３０、画像形成装置３０’は、略同様の構成として用いることができるため、ここでは画像形成装置３０について説明する。
【００３０】
画像形成装置３０は、画像形成装置側印刷設定履歴情報記憶手段としての記憶部３０１と、通信部３０２と、コントロール部３０３と、印刷部３０４とを備える。
【００３１】
記憶部３０１は、例えば、ＨＤＤ、ＲＡＭ、ＲＯＭ又はフラッシュメモリ等の記憶装置を用いることができ、コントロール部３０３が画像形成装置３０の各種機能を実現するための制御プログラム３０１１や、ＰＣ２０、ＰＣ２０’から送信された印刷ジョブデータ、印刷設定の設定値等を記憶する。
【００３２】
通信部３０２は、イーサネット（登録商標）ポートに接続されたＬＡＮケーブル等の通信ケーブルを介したサーバ１０、ＰＣ２０及びＰＣ２０’との通信を制御する。
【００３３】
コントロール部３０３は、ＣＰＵ等の演算装置を備え、画像形成装置３０を構成する各部を統括的に制御する。すなわち、コントロール部３０３は、ＣＰＵが記憶部３０１に記憶された制御プログラム３０１１を実行することで、画像形成装置３０の各種機能を実現する。具体的には、コントロール部３０３は、記憶部３０１に記憶された印刷設定に従い、制御プログラム３０１１を実行することで、印刷ジョブデータを加工・演算し、印刷部３０４を介して記録媒体に印刷させることができる。
【００３４】
印刷部３０４は、例えば、電子写真方式の印刷エンジンを備え、コントロール部３０３による制御に基づき、印刷ジョブデータに基づく画像を記録媒体に印刷する。
【００３５】
次に、本実施形態に係る画像処理システムにおける処理の流れについて図３のシーケンス図を用いて説明する。
【００３６】
まず、印刷実行者が、ＰＣ２０又はＰＣ２０’を用いて印刷実行を指示すると、コントロール部２０３は、実際に印刷に供される画像データを印刷ジョブデータに変換する。また、コントロール部２０３は、印刷実行指示を出した印刷実行者を特定するためのＵｓｅｒＩＤ、カラー／モノクロ印刷（Ｃｏｌｏｒ）、両面印刷（Ｄｕｐｌｅｘ）、Ｎｕｐ印刷（Ｎｕｐ）等の印刷実行者が印刷設定指定画面を介して指定した印刷設定値を印刷ジョブデータとともに印刷ジョブとして通信部２０５を介して画像形成装置３０又は画像形成装置３０’に送信する（ステップＳ１０６２又はステップＳ１０６３）。
【００３７】
ステップＳ１０６８又はステップＳ１０７２において、通信部３０２を介して印刷ジョブを受信した画像形成装置３０又は画像形成装置３０’は、受信した印刷ジョブに含まれる印刷設定値、並びに印刷ジョブデータに対応するドキュメント名を画像形成装置側印刷設定履歴情報として記憶部３０１に記憶する（ステップＳ１０６８又はステップＳ１０７２）。
【００３８】
ここで、画像形成装置側印刷設定履歴情報について説明する。図４は、画像形成装置３０、３０’の記憶部３０１が記憶する画像形成得装置側印刷設定履歴情報の例を示す図である。
【００３９】
図４に示すように、画像形成装置側印刷設定履歴情報は、印刷実行者を特定するためのＵｓｅｒＩＤ１０３１と、印刷を実行した日付１０３２、時刻１０３３、ドキュメントの文書形式１０３４、ドキュメント名１０３５及びカラー／モノクロ印刷、両面印刷、Ｎｕｐ印刷等の印刷設定値１０３６を含む。
【００４０】
そして、画像形成装置３０又は画像形成装置３０’のコントロール部３０３は、記憶部３０１に記憶された印刷設定値に基づき、印刷部３０４を制御してドキュメントに係る画像を記録媒体に印刷させる（ステップＳ１０６９又はステップＳ１０７３）。
【００４１】
ところで、サーバ１０のコントロール部１０３は、記憶部１０１に記憶されたサーバプログラム１０１１を実行することにより、定期的に画像形成装置３０又は画像形成装置３０’との通信を行う。そして、サーバ１０は、画像形成装置３０又は画像形成装置３０’の記憶部３０１が記憶する画像形成装置側印刷設定履歴情報と、画像形成装置を特定するためのプリンタ情報と、画像形成装置において設定可能な機能情報とを取得し、これをサーバ側印刷設定履歴情報として記憶部１０１に記憶する（ステップＳ１０７０又はステップＳ１０７４）。
【００４２】
ここで、サーバ側印刷設定履歴情報について説明する。図５は、サーバ１０の記憶部１０１が記憶するサーバ側印刷設定履歴情報の例を示す図である。
【００４３】
図５に示すように、サーバ側印刷設定履歴情報は、印刷実行者を特定するためのＵｓｅｒＩＤ１０４１と、印刷を実行した日付１０４２、時刻１０４３、ドキュメントの文書形式１０４４、ドキュメント名１０４５、カラー／モノクロ印刷、両面印刷、Ｎｕｐ印刷等の印刷設定値１０４６、画像形成装置を特定するためのプリンタ情報１０４７及び画像形成装置において設定可能な機能情報１０４８を含む。
【００４４】
そして、配布用の資料を印刷する配布者は、図２で示した印刷設定値指定画面を介して、印刷設定値を入力するとともに、ボタンコントロール１０８３を押下することで配布対象者の指定を行う（ステップＳ１０６４又はステップＳ１０６５）。具体的には、配布者によるボタンコントロール１０８３の押下を受け、コントロール部２０３は、表示部２０２を介して図６に示す配布対象者指定画面を表示させる。配布対象者指定画面は、配布者が印刷設定値指定画面を介して指定した印刷設定値を表示する表示領域１０５１と、印刷物の配布対象者を指定を受付けるためのリストコントロール１０５２とを備える。
【００４５】
印刷物の配布対象者の指定を受けると、コントロール部２０３は、通信部２０５を介してサーバ１０と通信を行う。具体的には、コントロール部２０３は、サーバ側印刷設定履歴情報において、指定を受けた配布対象者に対応する印刷実行者のＵｓｅｒＩＤ、並びにドキュメントの文書形式に一致するサーバ側印刷設定履歴情報を配布対象者印刷設定履歴情報としてサーバ１０から取得する（ステップＳ１０６６）。
【００４６】
ここで、コントロール部２０３が取得した配布対象者印刷設定履歴情報について説明する。図７は、サーバ１０の記憶部１０１に記憶されているサーバ側印刷設定履歴情報から取得した配布対象者印刷設定履歴情報の例を示す図である。
【００４７】
図７に示すように、配布対象者印刷設定履歴情報は、配布者が指定した配布対象者を特定するためのＵｓｅｒＩＤ１２０１と、印刷を実行した日付１２０２、時刻１２０３、ドキュメントの文書形式１２０４、ドキュメント名１２０５、カラー／モノクロ印刷、両面印刷、Ｎｕｐ印刷等の印刷設定値１２０６、画像形成装置を特定するためのプリンタ情報１２０７及び画像形成装置において設定可能な機能情報１２０８を含む。
【００４８】
次に、コントロール部２０３は、配布者により印刷設定値指定画面を介して入力された印刷設定値と、サーバ１０から取得した各配布対象者の配布対象者印刷設定履歴情報に基づく印刷設定値とを比較し、画像形成装置３０又は画像形成装置３０’に送信する配布印刷設定値を決定する。なお、この処理については、後ほど詳細に説明する。
【００４９】
そして、コントロール部２０３は、配布印刷設定値を印刷ジョブデータとともに印刷ジョブとして通信部２０５を介して画像形成装置３０又は画像形成装置３０’に送信する（ステップＳ１０６７）。
【００５０】
最後に、画像形成装置３０又は画像形成装置３０’は、受信した印刷ジョブに含まれる配布印刷設定値に基づき、印刷ジョブデータに係る画像を印刷する（ステップＳ１０７１）。
【００５１】
次に、本実施形態に係る画像処理システムの動作について図８のフローチャートを用いて説明する。
【００５２】
まず、配布用の資料を印刷する配布者は、図２で示した印刷設定値指定画面を介して、印刷設定値を入力するとともに（ステップＳ１１０１）、ボタンコントロール１０８３を押下することで配布対象者の指定を行う（ステップＳ１１０２）。
【００５３】
なお、以下の説明では、配布者は、画像形成装置たるＰｒｎ１を使用して、ドキュメント名「配布文書．ｄｏｃ」を印刷するものとし、カラー／モノクロ印刷の設定値をＣｏｌｏｒ、両面印刷の設定値をＳｉｍｐｌｅｘ、Ｎｕｐ印刷の設定値を２ｕｐと指定し、配布対象者をＡ１０１００３、Ａ１０２００５とした場合を一例として説明する。
【００５４】
印刷物の配布対象者の指定を受けると、コントロール部２０３は、通信部２０５を介してサーバ１０と通信を行い、指定を受けた配布対象者に対応する印刷実行者のＵｓｅｒＩＤ、並びにドキュメントの文書形式に一致するサーバ側印刷設定履歴情報を配布対象者印刷設定履歴情報としてサーバ１０から取得する（ステップＳ１１０３）。本実施形態においては、ＵｓｅｒＩＤがＡ１０１００３、並びにＡ１０２００５、ドキュメントの文書形式が「．ｄｏｃ」形式に一致する印刷設定値が配布対象者印刷設定履歴情報として取得される（ステップＳ１１０４）。
【００５５】
次に、コントロール部２０３は、配布者が指定している画像形成装置の機能情報と配布対象者印刷履歴情報内の画像形成装置の機能情報１２０８とを比較する（ステップＳ１１０５）。本実施形態においては、配布対象者たるＡ１０１００３が使用した画像形成装置たるＰｒｎ２のカラー／モノクロ印刷（Ｃｏｌｏｒ）及び両面印刷（Ｄｕｐｌｅｘ）の機能はそれぞれＯＦＦである。この場合、コントロール部２０３は、図９に示すように、配布用資料を印刷する画像形成装置と機能差がある画像形成装置（Ｐｒｎ２）の印刷設定値である、Ｃｏｌｏｒ、Ｄｕｐｌｅｘの値をマスクする。図９は、コントロール部２０３が、配布対象者毎に配布印刷設定値を求める際に、配布用資料を印刷する画像形成装置と機能差がある画像形成装置に対する印刷設定値を対象から除外したテーブルの一例を示したものである。本テーブルは、図７で示した配布対象者印刷設定履歴情報と同様に、配布者が指定した配布対象者を特定するためのＵｓｅｒＩＤ１２１１と、印刷を実行した日付１２１２、時刻１２１３、ドキュメントの文書形式１２１４、ドキュメント名１２１５、カラー／モノクロ印刷、両面印刷、Ｎｕｐ印刷等の印刷設定値１２１６、画像形成装置を特定するためのプリンタ情報１２１７及び画像形成装置において設定可能な機能情報１２１８から構成される。
【００５６】
そして、コントロール部２０３は、ステップＳ１１０６〜ステップＳ１１１６において、配布対象者毎の配布印刷設定値の決定に係る処理を行う。
【００５７】
ステップＳ１１０６において、コントロール部２０３は、ステップＳ１１０３において取得した配布対象者印刷設定履歴情報において、配布対象者の印刷履歴情報を確認する。ここで、当該配布対象者の印刷履歴情報が存在しない場合（ステップＳ１１０７  無）、コントロール部２０３は、配布印刷設定値を配布者が指定した印刷設定値とし（ステップＳ１１１４）、処理をステップＳ１１１５に移行する。なお、本実施形態においては、コントロール部２０３は、配布印刷設定値として、カラー／モノクロ印刷の設定値をＣｏｌｏｒ、両面印刷の設定値をＳｉｍｐｌｅｘ、Ｎｕｐ印刷の設定値を２ｕｐを指定する。
【００５８】
一方、当該配布対象者の印刷履歴が存在する場合（ステップＳ１１０７  有）、コントロール部２０３は、個々の印刷機能に対する印刷設定値を決定する（ステップＳ１１０８〜ステップＳ１１１３）。
【００５９】
すなわち、コントロール部２０３は、配布対象者印刷履歴情報を集計し、印刷設定の頻度が多い設定値を暫定的にユーザ設定値とする（ステップＳ１１０９）。なお、本実施形態においては、コントロール部２０３は、Ａ１０１００３のユーザ設定値として、カラー／モノクロ印刷の設定値をＣｏｌｏｒ、両面印刷の設定値をＤｕｐｌｅｘ、Ｎｕｐ印刷の設定値を１ｕｐとし、Ａ１０２００５のユーザ設定値として、カラー／モノクロ印刷の設定値をＭｏｎｏ、両面印刷の設定値をＤｕｐｌｅｘ、Ｎｕｐ印刷の設定値を４ｕｐとする。
【００６０】
次に、コントロール部２０３は、配布者が指定している印刷設定値と配布対象者のユーザ設定値とを比較する。ここで、ユーザ設定値が配布者は指定している印刷設定値よりも資源を節約できる場合（ステップＳ１１１０  ＯＫ）、コントロール部２０３は、ユーザ設定値を配布印刷設定値とする（ステップＳ１１１１）。なお、一般的に、資源を節約できる設定としては、カラー／モノクロ印刷の設定値：「Ｃｏｌｏｒ＜Ｍｏｎｏ」、両面印刷の設定値：「Ｓｉｍｐｌｅｘ＜Ｄｕｐｌｅｘ」、Ｎｕｐ印刷の設定値：「１Ｕｐ＜２Ｕｐ＜４Ｕｐ＜・・・＜１６Ｕｐ」の順であるが、装置の特性によりこれは限定されない。例えば、Ａ１０２００５のユーザ設定値と配布者が指定している印刷設定値とを比較すると、全ての印刷設定値に対して、ユーザ設定値の方が、より省資源の設定値であるため、コントロール部２０３は、Ａ１０２００５に対する配布印刷設定値としてカラー／モノクロ印刷の設定値をＭｏｎｏ、両面印刷の設定値をＤｕｐｌｅｘ、Ｎｕｐ印刷の設定値を４ｕｐとする。
【００６１】
一方、ユーザ設定値が配布者は指定している印刷設定値よりも資源を節約できない場合（ステップＳ１１１０  ＮＧ）、コントロール部２０３は、配布者が指定している印刷設定値を配布印刷設定値とする（ステップＳ１１１２）。すなわち、コントロール部２０３は、Ａ１０１００３に対する配布印刷設定値としてカラー／モノクロ印刷の設定値をＣｏｌｏｒ、両面印刷の設定値をＤｕｐｌｅｘ、Ｎｕｐ印刷の設定値を２ｕｐとする。
【００６２】
全ての印刷機能についての設定が終了すると（ステップＳ１１１３）、コントロール部２０３は、当該配布対象者を識別する情報と配布用印刷設定値とを印刷ジョブに付加する（ステップＳ１１１５）。そして、全ての配布対象者の配布印刷設定値が決定されると（ステップＳ１１１６）、コントロール部２０３は、通信部２０５を介して画像形成装置に対して印刷ジョブを送信する（ステップＳ１１１７）。
【００６３】
印刷ジョブを受信した画像形成装置は、受信した印刷ジョブに含まれる印刷ジョブデータを配布対象者毎の配布印刷設定値を適用するとともに、配布対象者を識別する情報を配布資料の先頭ページ又は最終ページに付加して印刷する（ステップＳ１１１８）。
【００６４】
図１０は、本実施形態において、Ａ１０１００３及びＡ１０２００５に対する５ページ分の配布資料の印刷結果を示した図である。
【００６５】
最後に、印刷された配布資料は、資料に付加された識別情報を元に印刷履歴設定が反映された配布対象者へ配布される。
【００６６】
以上のように、第１の実施形態によれば、配布者が配布資料を印刷する際に、ある程度の節約設定を行うことができ、これに対して配布対象者がより省資源な印刷設定をしている場合には、配布対象者が指定した印刷設定に基づき印刷が行われるため、より節約効果を得ることが可能となる。
【００６７】
［第２の実施形態］
第２の実施形態においては、第１の実施形態に係る効果を得ることが可能であるとともに、配布対象者への配布資料の配布、確認を行う手間を省くことが可能な形態について説明する。なお、本実施形態の説明においては、第１の実施形態の構成と動作について、同一な箇所には同一の符号を付してその説明を省略する。
【００６８】
図１１は、、第２の実施形態に係る画像処理システムの構成の一例を説明する図であり、本実施形態に係る画像処理システムは、サーバ１０と、ＰＣ２０、ＰＣ２０’と、画像形成装置５０、画像形成装置５０’とを備える。
【００６９】
画像形成装置５０、画像形成装置５０’は、略同様の構成として用いることができるため、ここでは画像形成装置５０について説明する。
【００７０】
画像形成装置５０は、記憶部５０１と、通信部５０２と、コントロール部５０３と、印刷部５０４と、入力手段としての操作部５０５とを備える。
【００７１】
記憶部５０１は、例えば、ＨＤＤ、ＲＡＭ、ＲＯＭ又はフラッシュメモリ等の記憶装置を用いることができ、コントロール部５０３が画像形成装置５０の各種機能を実現するための制御プログラム５０１１や、ＰＣ２０、ＰＣ２０’から送信された印刷ジョブデータ、印刷設定の設定値等を記憶する。
【００７２】
通信部５０２は、イーサネット（登録商標）ポートに接続されたＬＡＮケーブル等の通信ケーブルを介したサーバ１０、ＰＣ２０及びＰＣ２０’との通信を制御する。
【００７３】
コントロール部５０３は、ＣＰＵ等の演算装置を備え、画像形成装置５０を構成する各部を統括的に制御する。すなわち、コントロール部５０３は、ＣＰＵが記憶部５０１に記憶された制御プログラム５０１１を実行することで、画像形成装置５０の各種機能を実現する。具体的には、コントロール部５０３は、記憶部５０１に記憶された印刷設定に従い、制御プログラム５０１１を実行することで、印刷ジョブデータを加工・演算し、印刷部５０４を介して記録媒体に印刷させることができる。
【００７４】
印刷部５０４は、例えば、電子写真方式の印刷エンジンを備え、コントロール部５０３による制御に基づき、印刷ジョブデータに基づく画像を記録媒体に印刷する。
【００７５】
操作部５０５は、例えば、図１２に示すように、装置状態やメニュー画面を表示するためのオペレーションパネル２０８１と、配布者、配布対象者等の印刷実行者による画像形成装置５０のメニューの選択、決定を受付けるための操作ボタン２０８２と、印刷設定値等を入力するためのテンキーといった入力ボタン２０８３とを備える。
【００７６】
次に、本実施形態に係る画像処理システムにおける処理の流れについて図１３のシーケンス図を用いて説明する。
【００７７】
まず、印刷実行者が、ＰＣ２０又はＰＣ２０’を用いて印刷実行を指示すると、コントロール部２０３は、実際に印刷に供される画像データを印刷ジョブデータに変換する。また、コントロール部２０３は、印刷実行指示を出した印刷実行者を特定するためのＵｓｅｒＩＤ、カラー／モノクロ印刷（Ｃｏｌｏｒ）、両面印刷（Ｄｕｐｌｅｘ）、Ｎｕｐ印刷（Ｎｕｐ）等の印刷実行者が印刷設定指定画面を介して指定した印刷設定値を印刷ジョブデータとともに印刷ジョブとして通信部２０５を介して画像形成装置５０又は画像形成装置５０’に送信する（ステップＳ２０６２又はステップＳ２０６３）。
【００７８】
ステップＳ２０６８又はステップＳ２０７２において、通信部５０２を介して印刷ジョブを受信した画像形成装置５０又は画像形成装置５０’は、受信した印刷ジョブに含まれる印刷設定値、並びに印刷ジョブデータに対応するドキュメント名を画像形成装置側印刷設定履歴情報として記憶部５０１に記憶する（ステップＳ２０６９又はステップＳ２０７３）。
【００７９】
そして、画像形成装置５０又は画像形成装置５０’のコントロール部５０３は、記憶部５０１に記憶された印刷設定値に基づき、印刷部５０４を制御してドキュメントに係る画像を記録媒体に印刷させる（ステップＳ２０７０又はステップＳ２０７４）。
【００８０】
ところで、サーバ１０のコントロール部１０３は、記憶部１０１に記憶されたサーバプログラム１０１１を実行することにより、定期的に画像形成装置５０又は画像形成装置５０’との通信を行う。そして、サーバ１０は、画像形成装置５０又は画像形成装置５０’の記憶部５０１が記憶する画像形成装置側印刷設定履歴情報と、画像形成装置を特定するためのプリンタ情報と、画像形成装置において設定可能な機能情報とを取得し、これをサーバ側印刷設定履歴情報として記憶部１０１に記憶する（ステップＳ２０７１又はステップＳ２０７５）。
【００８１】
そして、配布用の資料を印刷する配布者は、図２で示した印刷設定値指定画面を介して、印刷設定値を入力するとともに、ボタンコントロール１０８３を押下することで配布対象者の指定及び印刷キーの指定を行う（ステップＳ２０６４又はステップＳ２０６５）。具体的には、配布者によるボタンコントロール１０８３の押下を受け、コントロール部２０３は、認証キー入力手段手段としての表示部２０２を介して図１４に示す配布対象者指定画面を表示させる。配布対象者指定画面は、配布者が印刷設定値指定画面を介して指定した印刷設定値を表示する表示領域２０５１と、印刷物の配布対象者を指定を受付けるためのリストコントロール２０５２と、配布対象者毎の印刷キーの指定を受付けるための印刷キー列２０５４とを備える。
【００８２】
印刷物の配布対象者の指定を受けると、コントロール部２０３は、通信部２０５を介してサーバ１０と通信を行う。具体的には、コントロール部２０３は、サーバ側印刷設定履歴情報において、指定を受けた配布対象者に対応する印刷実行者のＵｓｅｒＩＤ、並びにドキュメントの文書形式に一致するサーバ側印刷設定履歴情報を配布対象者印刷設定履歴情報としてサーバ１０から取得する（ステップＳ２０６６）。
【００８３】
次に、コントロール部２０３は、配布者により印刷設定値指定画面を介して入力された印刷設定値と、サーバ１０から取得した各配布対象者の配布対象者印刷設定履歴情報に基づく印刷設定値とを比較し、画像形成装置５０又は画像形成装置５０’に送信する配布印刷設定値を決定する。なお、この処理については、後ほど詳細に説明する。
【００８４】
そして、コントロール部２０３は、配布印刷設定値を印刷ジョブデータとともに印刷ジョブとして通信部２０５を介して画像形成装置５０又は画像形成装置５０’に送信する（ステップＳ２０６７又はステップＳ２０６８）。
【００８５】
最後に、画像形成装置５０又は画像形成装置５０’は、受信した印刷ジョブを一旦保存し（ステップＳ２０７２又はステップＳ２０７６）、配布対象者の印刷キーの入力を受けて、受信した印刷ジョブに含まれる配布印刷設定値に基づき、印刷ジョブデータに係る画像を印刷する。
【００８６】
次に、本実施形態に係る画像処理システムの動作について図１５のフローチャートを用いて説明する。
【００８７】
まず、配布用の資料を印刷する配布者は、図２で示した印刷設定値指定画面を介して、印刷設定値を入力するとともに（ステップＳ２１０１）、ボタンコントロール１０８３を押下することで配布対象者の指定と（ステップＳ２１０２）、印刷キーの指定を行う（ステップＳ２１０３）。
【００８８】
なお、以下の説明では、配布者は、画像形成装置たるＰｒｎ１を使用して、ドキュメント名「配布文書．ｄｏｃ」を印刷するものとし、カラー／モノクロ印刷の設定値をＣｏｌｏｒ、両面印刷の設定値をＳｉｍｐｌｅｘ、Ｎｕｐ印刷の設定値を２ｕｐと指定し、配布対象者をＡ１０１００３、Ａ１０２００５とした場合を一例として説明する。
【００８９】
印刷物の配布対象者の指定を受けると、コントロール部２０３は、通信部２０５を介してサーバ１０と通信を行い、指定を受けた配布対象者に対応する印刷実行者のＵｓｅｒＩＤに一致するサーバ側印刷設定履歴情報を配布対象者印刷設定履歴情報としてサーバ１０から取得する（ステップＳ２１０４）。本実施形態においては、ＵｓｅｒＩＤ１０４１がＡ１０１００３、並びにＡ１０２００５の印刷設定値が図１６に示すように配布対象者印刷設定履歴情報として取得される。
【００９０】
次に、コントロール部２０３は、ステップＳ２１０５〜ステップＳ２１１２において、配布対象者毎の印刷ジョブを作成する。
【００９１】
ステップＳ２１０５において、コントロール部２０３は、ステップＳ１１０３において取得した配布対象者印刷設定履歴情報において、配布対象者の印刷履歴情報を確認する。ここで、当該配布対象者の印刷履歴情報が存在しない場合（ステップＳ２１０６  無）、コントロール部２０３は、配布者が指定した画像形成装置を対象プリンタとする（ステップＳ２１１８）。また、コントロール部２０３は、配布印刷設定値を配布者が指定した印刷設定値とし（ステップＳ２１１９）、処理をステップＳ２１２０に移行する。なお、本実施形態においては、コントロール部２０３は、配布印刷設定値として、カラー／モノクロ印刷の設定値をＣｏｌｏｒ、両面印刷の設定値をＳｉｍｐｌｅｘ、Ｎｕｐ印刷の設定値を２ｕｐを指定する。
【００９２】
一方、当該配布対象者の印刷履歴が存在する場合（ステップＳ２１０６  有）、コントロール部２０３は、配布対象者の使用頻度が高い画像形成装置を対象プリンタに指定する（ステップＳ２１０７）。本実施形態においては、Ａ１０１００３用配布資料の対象プリンタはＰｎ２であり、Ａ１０２００５用配布資料の対象プリンタはＰｎ１である。
【００９３】
対象プリンタの指定が終了した時点で、コントロール部２０３は、対象プリンタの機能情報と配布対象者印刷履歴情報内の画像形成装置の機能情報とを比較する（ステップＳ２１０８）。すなわち、コントロール部２０３は、両機能情報を比較することで、対応していない印刷設定値の履歴は、集計対象から除外する。具体的には、図１７に示すように、Ｐｒｎ２のカラー／モノクロ印刷及び両面印刷の機能はそれぞれＯＦＦであるため、Ａ１０１００３用配布資料に対する印刷設定値集計ステップでは、カラー／モノクロ印刷及び両面印刷に対する印刷設定値をマスクする。
【００９４】
また、コントロール部２０３は、ドキュメント形式が一致しない印刷設定値の履歴を集計対象から除外する。具体的には、図１８に示すように、コントロール部２０３は、ドキュメント形式が「．ｘｌｓ」に対応する印刷設定値をマスクする。
【００９５】
そして、コントロール部２０３は、個々の印刷機能に対する印刷設定値を決定する（ステップＳ２１１０〜ステップＳ２１１７）。
【００９６】
コントロール部２０３は、配布対象者印刷履歴情報を集計し、印刷設定の頻度が多い設定値を暫定的にユーザ設定値とする（ステップＳ２１１１）。なお、本実施形態においては、コントロール部２０３は、Ａ１０１００３のユーザ設定値として、カラー／モノクロ印刷の設定値をＭｏｎｏ、両面印刷の設定値をＳｉｍｐｌｅｘ、Ｎｕｐ印刷の設定値を１ｕｐとし、Ａ１０２００５のユーザ設定値として、カラー／モノクロ印刷の設定値をＭｏｎｏ、両面印刷の設定値をＤｕｐｌｅｘ、Ｎｕｐ印刷の設定値を４ｕｐとする。
【００９７】
次に、コントロール部２０３は、配布者が指定している印刷設定値と配布対象者のユーザ設定値とを比較する。ここで、ユーザ設定値が配布者は指定している印刷設定値よりも資源を節約できる場合（ステップＳ２１１２  ＯＫ）、コントロール部２０３は、ユーザ設定値を配布印刷設定値とする（ステップＳ２１１３）。本実施形態においては、コントロール部２０３は、Ａ１０２００５に対する配布印刷設定値としてカラー／モノクロ印刷の設定値をＭｏｎｏ、両面印刷の設定値をＤｕｐｌｅｘ、Ｎｕｐ印刷の設定値を４ｕｐとする。
【００９８】
一方、ユーザ設定値が配布者は指定している印刷設定値よりも資源を節約できない場合（ステップＳ２１１２  ＮＧ）、コントロール部２０３は、配布者が指定している印刷設定値を配布印刷設定値とする（ステップＳ２１１５）。すなわち、コントロール部２０３は、Ａ１０１００３に対する配布印刷設定値としてカラー／モノクロ印刷の設定値をＭｏｎｏ、両面印刷の設定値をＤｕｐｌｅｘ、Ｎｕｐ印刷の設定値を２ｕｐとする。
【００９９】
全ての印刷機能についての設定が終了すると（ステップＳ２１１７）、コントロール部２０３は、当該配布対象者を識別する情報と、配布用印刷設定値と、印刷キーとを印刷ジョブに付加し（ステップＳ２１２０）、コントロール部２０３は、通知手段としての通信部２０５を介して画像形成装置に対して印刷ジョブを送信する（ステップＳ２１２２）。
【０１００】
そして、配布者は、配布対象者に対して配布資料を印刷する旨と、印刷キーとを含めて電磁メール等を使用して連絡する。
【０１０１】
次に、印刷ジョブを受信した画像形成装置の動作について図１９のフローチャートを用いて説明する。
【０１０２】
印刷ジョブを受信した画像形成装置は、受信した印刷ジョブを一旦記憶部５０１に保存する（ステップＳ２２０１）。
【０１０３】
そして、配布対象者による印刷指示を受け（ステップＳ２２０２）、操作部５０５を介して印刷キーが入力されると、コントロール部５０３は、入力された印刷キーと、記憶部５０３に保存した印刷ジョブに含まれる印刷キーとを検証する（ステップＳ２２０３）。、該印刷キーが一致し、該当印刷ジョブが有ると判断すると（ステップＳ２２０４  有）、コントロール部５０３は、印刷部５０４を制御し、受信した印刷ジョブに含まれる印刷ジョブデータを配布対象者毎の配布印刷設定値を適用するとともに、配布対象者を識別する情報を配布資料の先頭ページ又は最終ページに付加して印刷する（ステップＳ２２０５）。一方、該印刷キーが一致せず、該当印刷ジョブが無いと判断すると（ステップＳ２２０４  無）、コントロール部５０３は操作部５０５を介してエラー表示を行う。
【０１０４】
以上のように、第２の実施形態によれば、第１の実施形態に係る効果に加え、配布対象者自身が印刷を行うことで、配布対象者への配布資料の配布、確認を行う手間を省くことができる。
【０１０５】
本実施形態の説明においては、本発明の好適な一例として、画像形成装置、サーバ、ＰＣとからなる画像処理システムについて説明したが、本発明はこれに限定されるものではなく、画像形成装置の印刷設定履歴の管理機能は印刷を実行させるＰＣで行うことも可能である。また、マルチファンクションプリンタ（ＭＦＰ）等のように、画像処理装置に付属した入力装置から直接印刷指示を行える場合には、画像処理装置自体にサーバ及びＰＣの機能を含ませることも可能である。すなわち、画像処理装置の記憶部に印刷設定履歴記憶手段及び配布対象者識別情報記憶手段、コントロール部に印刷設定履歴抽出手段、印刷設定頻度集計手段、印刷方法決定手段又は配布対象者識別情報付加手段の機能を持たせることにより実施形態で説明した同様の効果を得ることができる。
【０１０６】
また、本実施形態の説明においては、図５で説明した印刷設定履歴と、機能情報とを同一テーブルに含めた形態について説明したが、印刷設定履歴テーブルと、機能情報テーブルとを別のテーブルとしてもかまわない。
【符号の説明】
【０１０７】
１０  サーバ
２０、２０’  ＰＣ
３０、３０’、５０、５０’  画像形成装置
１０１  記憶部
１０１１  サーバプログラム
１０２  表示部
１０３  コントロール部
１０４  入力部
１０５  通信部
２０１  記憶部
２０１１ドライバプログラム
２０２  表示部
２０３  コントロール部
２０４  入力部
２０５  通信部
３０１  記憶部
３０１１制御プログラム
３０２  通信部
３０３  コントロール部
３０４  印刷部
５０１  記憶部
５０１１制御プログラム
５０２  通信部
５０３  コントロール部
５０４  印刷部
５０５  操作部
【図１】
2013134520.tif 000003
【図２】
2013134520.tif 000004
【図３】
2013134520.tif 000005
【図４】
2013134520.tif 000006
【図５】
2013134520.tif 000007
【図６】
2013134520.tif 000008
【図７】
2013134520.tif 000009
【図８】
2013134520.tif 000010
【図９】
2013134520.tif 000011
【図１０】
2013134520.tif 000012
【図１１】
2013134520.tif 000013
【図１２】
2013134520.tif 000014
【図１３】
2013134520.tif 000015
【図１４】
2013134520.tif 000016
【図１５】
2013134520.tif 000017
【図１６】
2013134520.tif 000018
【図１７】
2013134520.tif 000019
【図１８】
2013134520.tif 000020
【図１９】
2013134520.tif 000021